(57)【特許請求の範囲】
【請求項１】
室内の空気を循環させる循環送風装置と、空気を加熱する加熱装置と、前記加熱装置の下流側に設けられ空気を加湿する加湿装置と、を備え、
前記加湿装置は、下部に水を貯水する貯水部が設けられるとともに、上部に前記貯水部に貯水された水を吸い上げ噴霧する加湿部が設けられ、前記加湿部は、円筒形状の回転体を有し、前記回転体が回転することで、前記貯水部に貯水された水が吸い上げられて周囲に噴霧され、
前記加湿部の前記回転体の周囲に上下方向に延びる複数のリブを有し、上部に向かい広がる円錐形状の破砕装置が設けられ、
前記破砕装置において、
隣接する前記複数のリブの間には、前記加熱装置にて加熱された空気を前記破砕装置内に取り込む複数の取り込み用開口が設けられ、
前記円錐形状の上部には、前記破砕装置内に取り込まれた空気が前記加湿装置により加湿された加湿空気となって前記破砕装置外へ導かれる出口用開口が設けられ、
前記複数のリブは、前記円錐形状の底面から見た時「く」の字形状を有し、「く」の字形状の外側が前記円錐形状の径方向外向きに配置され、かつ、「く」の字形状の内側が前記円錐形状の径方向内向きに配置され、
前記複数のリブと前記回転体との間に空気の旋回流が形成されるとともに、前記リブの「く」の字形状の内側部分は、前記加湿部の前記回転体から噴霧された水滴に含まれる大粒水滴を捕捉する水切り部として機能する、ことを特徴とするミストサウナ装置。
【請求項２】
前記破砕装置の「く」の字形状の水切り部の各々は、下部に向かうに従い細くなる形状であることを特徴とする請求項１に記載のミストサウナ装置。
【請求項３】
前記破砕装置において、前記円錐形状の上部である前記複数のリブの上端にリング状のカバーが設けられ、前記リング状のカバーの中心に設けられた穴は、前記円錐形状の上部の径よりも小さい径を有し、前記穴が前記出口用開口であることを特徴とする請求項１に記載のミストサウナ装置。
【請求項４】
前記加湿装置の風路下流側に、室内への吹出口が設けられ、前記破砕装置において、前記吹出口に近い側に位置する前記リブの間の前記取り込み用開口が完全にまたは一部塞がれていることを特徴とする請求項１から３のいずれか１つに記載のミストサウナ装置。
【発明の詳細な説明】
【技術分野】
【０００１】
本発明はサウナ装置に関わり、特にミストサウナ装置に関するものである。
【背景技術】
【０００２】
図１に示すミストサウナ装置１は、公知のものであり、室内の空気を循環させる循環送風装置２と、空気を加熱する加熱装置３と、前記加熱装置３の下流側に設けられ空気を加湿する加湿装置４と、を備える。
【０００３】
前記加湿装置４は、高圧水を噴射する噴射装置５と、噴射された高圧水が衝突し砕かれた微細水滴を撒き散らすガイド板６と、前記微細水滴と合流する暖かい空気を送風する循環送風装置２により、ミストサウナを形成する。
【０００４】
前記公知技術のミストサウナ装置１のように、供給された水が有効な加湿成分とならずにミストサウナ装置１から排出される場合、排出される水の量が多くなり、即ち水量および熱量がともにミストサウナ装置１の外へ排出されてしまっているため、加湿ロスや熱量ロスが多すぎるようになる。
【発明の概要】
【０００５】
本発明は従来技術のような課題を解決するために、ミストサウナ装置をより高い効率にさせる破砕装置を提供する。
【０００６】
上記目的を実現するため、本発明は、室内の空気を循環させる循環送風装置と、空気を加熱する加熱装置と、前記加熱装置の下流側に設けられ空気を加湿する加湿装置と、を備え、前記加湿装置は、下部に水を貯水する貯水部が設けられるとともに、上部に前記貯水部に貯水された水を吸い上げ噴霧する加湿部が設けられ、前記加湿部の周囲に複数のリブを有した円錐形状の破砕装置が設けられ、前記複数のリブの間には空気流通路の開口が形成されているミストサウナ装置を提供する。
【０００７】
前記破砕装置は、上部に向かい広がった形状とした円錐形であり、旋回する空気の流通口を形成する開口を有するとともに、リブとの衝突により発生した、空気中に含まれる大粒水滴を捕捉する水切り部を有する。
【０００８】
前記破砕装置は、円錐形状の底面から見た時「く」の字形状をした水切り部を複数有した。
【０００９】
前記破砕装置に設けられる「く」の字形状の水切り部は、中心側が外側の水切り部に対し中心に向かって所定の角度で設置される。
【００１０】
前記破砕装置の「く」の字形状の水切り部の外郭側は、破砕装置の円周に対し外側に向かって広がる角度を有する斜面で形成される。
【００１１】
前記破砕装置の「く」の字形状の水切り部の各々は、下部に向かうに従い細くなる形状である。
【００１２】
一部または全部の前記リブの上部に、前記破砕装置の「く」の字形の水切り部と同じ方向に広がる角度を有する第二の水切り部が設けられる。
【００１３】
前記破砕装置には、上方の開口端から中心側に向かってリング状のカバーが設けられる。
【００１４】
風路上において前記加湿装置の第一の吹出口に近いリブの間の開口を完全にまたは一部に塞ぐ。
【００１５】
前記加湿装置の第一の吹出口に近い前記リブは、第一の吹出口に対向し、総数の三分の一乃至二分の一を占めるリブを含む。
【００１６】
前記加湿装置の第一の吹出口に近い前記リブは、第一の吹出口の外側面に位置し、総数の八分の一乃至六分の一を占めるリブを含む。
【００１７】
本発明の効果は、空気と水滴の接触効率が高く、加湿ロスと熱量ロスとを減少させることができる。
【図面の簡単な説明】
【００１８】
【図１】図１は公知のミストサウナ装置の概略図
【図２Ａ】図２Ａは本発明に係る第一実施例の異なる角度から見た全体の立体概略図
【図２Ｂ】図２Ｂは本発明に係る第一実施例の異なる角度から見た全体の立体概略図
【図３】図３は本発明に係る第一実施例の破砕装置の立体概略図
【図４】図４は本発明に係る第二実施例の全体の立体概略図
【図５Ａ】図５Ａは本発明に係る第二実施例の破砕装置のカバーを取り除いた概略図
【図５Ｂ】図５Ｂは本発明に係る第二実施例の破砕装置のカバーを取り除いた概略図
【発明を実施するための形態】
【００１９】
図２Ａ、図２Ｂは本発明に係る第一実施例の異なる角度から見た全体の立体概略図である。図に示すように、本発明の破砕装置６０はミストサウナ装置１０に取り付けられるものである。ミストサウナ装置１０は、室内の空気を循環させる循環送風装置１１と、空気を加熱する加熱装置１２と、前記加熱装置１２の下流側に設けられ空気を加湿する加湿装置２０と、を備え、前記循環送風装置１１は遠心送風機で、前記加熱装置１２はＰＣＴヒーターである。前記加湿装置２０は、下部に水を貯水する貯水部２１が設けられるとともに、上部に前記貯水部に貯水された水を吸い上げ噴霧する加湿部２２が設けられる。前記加湿部２２の周囲に複数のリブ６１を有した略円錐形状の破砕装置６０が設けられ、前記複数のリブ６１の間には空気流通路の開口６２が形成され、破砕装置６０は貯水部２１に固定される。
【００２０】
図３は本発明に係る第一実施例の破砕装置６０の立体概略図である。図に示すように、破砕装置６０は上部に向かい外側に広がった形状とした略円錐形であり、旋回する空気の流通口を形成する開口６２を有するとともに、リブ６１との衝突により発生した、空気中に含まれる大粒水滴を捕捉する複数の水切り部６１１を有する。各水切り部６１１は円錐形状の底面から見た時、「く」の字形をした。各水切り部６１１は下部に向かうに従い細くなる形状とした。
【００２１】
破砕装置６０に設けられる「く」の字形状の水切り部６１１は、中心側が外側の水切り部６１１に対し中心６４に向かって所定の角度で設置されている。破砕装置６０の「く」の字形状の水切り部の外郭側は、破砕装置６０の円周６５に対し外側に向かって広がる角度、即ち接線に対する鋭角を有する斜面６６で形成される。
【００２２】
また、図２Ａ、図２Ｂに示すように、加湿部２２は上部に向かって広がる傾斜を有した開口６３を持つ略円錐状形状の回転体であり、下部に設けられた貯水部２１より水を吸い上げ噴霧しており、一方、循環送風装置１１により送風された空気流は、加湿部２２の周囲に設けられた破砕装置６０の開口６２から破砕装置６０の内部に侵入、上昇し、もう一方、加湿部２２から噴霧された水滴のうち大粒のものは、重力により下部に落下する時に、下部に向かい縮小する破砕装置６０の水切り部６１１に捕集され、再び貯水部２１に流入する。破砕装置６０の「く」の字形状の各水切り部６１１は下部に向かうに従い細くなる形状とした。具体的な過程は次の通りである。
【００２３】
破砕装置６０の「く」の字形状の水切り部の外郭側は、破砕装置６０の円周に対し外側に向かって広がる形成角度を有する斜面で形成される。循環送風装置１１により送風された空気流は、破砕装置６０の外側に突出した「く」の字形状の外郭の水切り部６１１の斜面に沿って破砕装置６０の内部に旋回しながら取り込まれ、加湿部２２から噴出された微細水滴と破砕装置６０の内部で接触することとなる。
【００２４】
空気流が破砕装置６０の内部に入る時に、「く」の字形状の水切り部６１１の表面に沿って導かれるため、乱流がなくなり、破砕装置６０に入った空気流の空気抵抗が小さくなる。従って、空気の圧力損失が軽減できると共に、振動や騒音を低減することができる。
【００２５】
空気流は滑らかに加湿部２２の内部に導かれ、風向が「く」の字形状の板により加湿部２２の中心に変更して旋回流となる。一方、加湿部２２から噴霧された水は水切り部６１１の縁に直角に衝突して微細水滴を形成し、前記旋回流と長時間最も密度が高い破砕装置６０の内部で接触することとなる。密度が高い破砕装置６０の内部で空気流が旋回しながら接触するため、加湿能力が高い。
【００２６】
前記過程では、加湿部２２から噴出された水滴はリブ６１に衝突して微細水滴を形成するとともに、破砕装置６０の「く」の字形状の各水切り部６１１は下部に向かうに従い細くなる形状であるため、大粒水滴は破砕装置６０の水切り部６１１に沿って落下する。よって、微細水滴と大粒水滴の経路が区分され、微細水滴が大粒水滴に吸収されることがない。したがって、効率の高いミストサウナ装置１０を提供することができる。破砕装置６０の水切り部６１１で回収された水は水切り部６１１の斜面に沿って落下することになるが、下部に向かうに従い細くなり、且つ別々に流れ落ちてきた水滴が合体し大きくなるため、加湿部２２内の旋回流で再飛散せずに貯水部２１に回収される。回収された大粒水滴が再飛散することがなくなり、大粒の水滴は周囲の微細水滴を吸収合体する作用も有する。このように、製品からの水滴の吹き出しがなくなり、また、大粒水滴の空気流への再飛散が抑制されることにより、ミストサウナ装置１０の加湿能力を増加させることができる。
【００２７】
また、図２Ｂ、図３に示すように、一部または全部の前記リブ６１の上部に、前記破砕装置６０の「く」の字形の水切り部６１１と同じ方向に広がる角度を有する第二の水切り部６１２が設けられた。循環送風装置１１により吸い込まれた室内空気が加熱装置１２により加熱され、加湿部２２の周囲に設けられた破砕装置６０のリブ６１の間の開口６２から侵入し、微細水滴を発生させる円筒の中心を軸として回転する加湿部２２から噴霧された水滴と接触して、加湿空気となって旋回しながら上昇し、破砕装置６０の円周の一部に設けられ加湿装置２０の第一の吹出口１００に連通する風路に導かれることとなる。一部のリブ６１の上部に第二の水切り部６１２が設けられた後、加湿空気は第二の水切り部６１２に衝突しながら加湿装置２０の第一の吹出口１００に導かれることとなる。こうすると、微細水滴を含んだ加湿空気は、第二の水切り部６１２に衝突することと旋回流によるサイクロン効果により、大粒水滴と微細水滴に更に分離され、微細水滴のみを加湿装置２０の第二の吹出口２００に吹き出すこととなるため、ミストサウナ装置１０の吹出口（図に示せず）から水滴が落下することがない。
【００２８】
図４は本発明に係る第二実施例の全体の立体概略図である。図５Ａ、図５Ｂは本発明に係る第二実施例の破砕装置のカバーを取り除いた概略図である。図に示すように、破砕装置６０の上方の開口端から中心側に向かってリング状のカバー１０４が設けられた。加湿部２２から噴霧された水滴は、破砕装置６０の複数のリブ６１の間から導入された旋回流と合流する。大粒水滴は、旋回流の遠心力により破砕装置６０の内面外周に沿って上昇し、リング状のカバー１０４に衝突してから、水切り部６１１に沿って下方へ流れ、貯水される。また、遠心力により旋回流の中心に集まった微細水滴は、カバー１０４の中心に設けられた穴１０５から加湿部２２の外に噴出する。よって、大粒水滴と微細水滴は完全に分離され、遠心力により外周に沿って上昇することになるため、破砕装置６０を通過した後の風路に大粒水滴が付着することや、大粒水滴が凝縮してから剥離飛散し、第一の吹出口１００から滴下することを抑制することができる。
【００２９】
室内の空気を循環させる前記循環送風装置１１から吹き出された空気は、加熱装置１２の方向（つまり第一の吹出口１００に対して直角となる方向）から方向を変え第一の吹出口１００に流れるので、風は加湿装置２０の第一の吹出口１００に近いリブ６１Ａ、６１Ｂに集中し、リブ６１Ａ、６１Ｂの間の開口の風速は速くなる。つまり図５Ａに示すように、本実施例では、第一の吹出口１００の外側面に位置する三本のリブ６１Ａ（総数の約六分の一を占める）の間の開口６２の間の風速は一番速く、第一の吹出口１００から離れて第一の吹出口１００の背面に位置する八本のリブ６１Ｃ（総数の約二分の一を占める）の間の開口６２の間の風速は一番遅く、また、残りの最も第一の吹出口１００に近く第一の吹出口１００に面する七本のリブ６１Ｂ（総数の約三分の一を占める）の間の開口６２の間の風速は中間である。
【００３０】
本実施例の前記二分の一、三分の一、六分の一などとは、定着した限定ではなく、加湿部２２の実際的な運転状況と第一の吹出口１００の大きさによって調整できる。つまりもっと多く或いはもっと少なく設置でき、例えば三分の二、八分の一などに設置できる。
【００３１】
本実施例では、前記破砕装置６０の周囲を通過する風速の速くかつ第一の吹出口１００に近いリブ６１Ａの間の開口６２を完全に塞いで、前記加湿装置２０の第一の吹出口に最も近いリブ６１Ｂの間の開口６２の一部を塞ぐが、他のリブ６１Ｃの間の開口６２を塞がない。６１Ａの間の開口６２に設けられたカバー板7０により、水滴が運搬されずリブ６１Ａの間のカバー板7０に当たって跳ね返るように開口６２を塞ぐ。
【００３２】
加湿装置６０の第一の吹出口１００に近いリブ６１Ｂとは、つまり図５Ａに示すように破砕装置６０の第一の吹出口１００に近い左半側の、リブ６１Ａを除いた他のリブ６１Ｂというものである。破砕装置６０の開口６２を塞ぐことにより風量が小さくなりすぎるのを防止するために、リブ６１Ｂの上半部を塞いで、下半部を開口する構成にしても良い。このように、空気がリブ６１Ｂの間の下半部の開口６２を通して第一の吹出口１００に流れることができるようになる。
【００３３】
また、大粒水滴が重力のため空気流によってリブ６１Ｂの間の下半部の開口６２から上方より高い第一の吹出口１００に運搬されるのは難しく、微細水滴のみが運搬されることとなる。また、リブ６１Ｃ側では風速が遅くなるため、加湿部２２から噴射された水滴が風により移動するが、第一の吹出口１００まで距離があるため、水滴が移動中に落下したり壁に付着したりすることで、第一の吹出口１００に到着時には、微細水滴のみが残ることとなっている。
【００３４】
また、風が加熱装置１２から円弧に沿って第一の吹出口１００に流れる場合、破砕装置６０の内側の風速は外側と比較して低くなる。このため、リブ６１Ｂ及びその周囲を通過した風は速度の遅いものとなる。
【００３５】
このように、前記破砕装置６０の周囲を通過する風速の速いリブ６１Ａの間および前記加湿装置２０の第一の吹出口に近いリブ６１Ｂの間の開口６２を塞ぐことで、破砕装置６０外部に噴出される大粒水滴が空気流によって運搬されるのを抑制して、第一の吹出口１００から大粒水滴が滴下することを抑制することができる。
【図１】
0005959743.tif 000002
【図２Ａ】
0005959743.tif 000003
【図２Ｂ】
0005959743.tif 000004
【図３】
0005959743.tif 000005
【図４】
0005959743.tif 000006
【図５Ａ】
0005959743.tif 000007
【図５Ｂ】
0005959743.tif 000008